(57)【要約】【課題】力の弱い者であっても容易に、また、押込み位置によらず、安定的に綺麗に押し破ることができる切込線を形成した包装用箱を提供する。【解決手段】上面２、底面４、一対の側面６、及び一対の妻面８を有する形状に折り曲げられて内部空間が形成され、取出口形成用切込線１１が形成されることに加え、底面４に、底面４と一の妻面８との稜線３６上における二点ａ、ｂを繋ぐ解体用切込線１２、及び／または底面４に、一対の押上片を形成する押上片形成用切込線１５が形成された包装用箱１であって、解体用切込線１２、及び／または、押上片形成用切込線１５が、外側ミシン目１３と、外側ミシン目１３の内側に位置して外側ミシン目１３の少なくとも一部に沿うように形成された内側ミシン目１４と、により構成される二重ミシン目を備え、内側ミシン目１４のカット部１４ａが、外側ミシン目１３のカット部１３ａよりも短い包装用箱１。【選択図】図２
2008143567.tif 000002
【特許請求の範囲】
【請求項１】
取出口を有する上面、底面、一対の側面により組み立てられた角筒状体を得、得られた前記角筒状体の前記上面及び前記底面のそれぞれの端縁から稜線を介して延出された一対の外フラップを折り曲げて一対の妻面を形成し、衛生用紙を収納し得る内部空間が形成された箱状をなすとともに、前記衛生用紙の取出口を形成するための取出口形成用切込線が形成されることに加え、前記底面に形成されて前記底面と一の妻面との稜線上における二点を繋ぐ解体用切込線、及び／または、前記底面に形成されて一対の押上片を形成するための押上片形成用切込線が形成された包装用箱であって、
前記解体用切込線、及び／または、前記押上片形成用切込線が、外側ミシン目と、前記外側ミシン目の内側に位置して前記外側ミシン目の少なくとも一部に沿うように形成された内側ミシン目と、により構成される二重ミシン目を備え、
前記内側ミシン目のカット部が、前記外側ミシン目のカット部よりも短い包装用箱。
【請求項２】
前記外側ミシン目の、隣り合うカット部とカット部の間隙に対応する位置に、前記内側ミシン目のカット部が配置されるように形成されている請求項１に記載の包装用箱。
【請求項３】
前記内側ミシン目のカット部の長さの割合が、前記外側ミシン目のカット部の長さに対して、２〜５０％である請求項１または２に記載の包装用箱。
【請求項４】
前記解体用切込線と前記稜線により囲まれた部分、及び／または、前記押上片が形成される部分に、凹凸形状を形成した請求項１〜３のいずれか一項に記載の包装用箱。
【請求項５】
前記凹凸形状が、押し罫である請求項１〜４のいずれか一項に記載の包装用箱。
【発明の詳細な説明】
【技術分野】
【０００１】
本発明は包装用箱に関し、更に詳しくは、容易に押込み片を形成することができる包装用箱に関する。
【背景技術】
【０００２】
一般に、家庭やオフィス等で広く使われているティシュペーパーは、概ね直方体の箱（以下、「カートン」と記す場合がある）の内部空間に収納された形で市販されている。このように箱に収納されたティシュペーパーを使用する際には、箱の一面（通常は箱の上面）に設けられている所定形状のミシン目（取出口形成用切込線）を切り離すことによって、取出口を形成する。そして、ティシュペーパーは、この取出口から引き出されて使用される。
【０００３】
上記取出口形成用切込線は、従来、一本のミシン目により形成されていたが、最近では、例えば、小さい力で取出口を形成したり、取出口の外観や手触りを良好にするなどの目的のために、二重のミシン目によって構成することが提案されている（例えば、特許文献１、２）。
【０００４】
なお、上記取出口形成用切込線は、使用者が取出口片の一部を摘み上げることにより、破断されるものである。そのため、取出口片の一部を摘み易くするために、取出口片となる部分の一部に引剥がし用切込線が形成されている場合が多い。使用者は、取出口を形成する際に、まず、この引剥がし用切込線を押し破ることによって、箱の内側に指を挿入し、取出口片となる部分の一部を容易に摘むことができる。その後、摘み上げることにより、取出口形成用切込線を破断することができる。
【０００５】
また、上記箱には、上記取出口形成用切込線以外に、例えば、使用済みの箱を解体する際に破断されることにより箱の解体を容易にする解体用切込線、及び、ティシュペーパーの残量が少なくなった際に箱内のティシュペーパーを取出口側に押し上げる一対の押上片を形成するための押上片形成用切込線などのミシン目が形成されることが多い（例えば、特許文献３、４）。具体的には、図１４に示すカートン１６０のように、底面４に形成されて底面４と一の妻面８との稜線３６上における二点ａ、ｂを繋ぐ一重の解体用切込線３１２、及び、底面４に形成されて一対の押上片を形成するための一重の押上片形成用切込線１１５が形成されるとともに、底面４の端縁から稜線３６を介して延出された一の外フラップ２８とその先端にある妻面接合代（不図示）との間に形成される一重のミシン目と、上記一の外フラップ２８に形成され、上記解体用切込線３１２の二点ａ、ｂの起点に達する一重のミシン目２５１により構成される第二の解体用切込線が形成されたカートンが知られている（特許文献４）。
【特許文献１】特許第３４２２８５６号公報
【特許文献２】特開２００１−２１９９８０号公報
【特許文献３】特許第３６５３３０２号公報
【特許文献４】特開２００５−２２５５６４号公報
【発明の開示】
【発明が解決しようとする課題】
【０００６】
特許文献３のカートンは、一対の妻面に、一本のミシン目により解体用切込線を形成しているため、この解体用切込線を破断するためには比較的大きな力を加えてミシン目を押し破る必要があった。このミシン目を押し破る作業は、特に、年配者、子供、障害者、女性のような力の弱い者にとっては困難である場合があり、ミシン目を十分に破断することができないおそれがあった。また、上記ミシン目を押し破る際に、押込み位置（例えば、ミシン目の一部に偏った位置）によっては、ミシン目が安定的に綺麗に破断されないことがあった。更に、カートンを形成する時（衛生用紙をカートンに詰めて妻面を形成した時を含む）などに、例えば、カートンを捻るような外力が加わると、ミシン目の一部が破断してしまうという場合があった。
【０００７】
また、特許文献４のカートンは、底面と妻面との所定の位置に解体用切込線を形成しているため、大きな力を要せず簡単に解体用切込線を破断することができ、容易に偏平に押し潰すことができるという利点がある。しかし、更に容易に押し破るためには未だ改良の余地があり、また、ミシン目を押し破る際に、押込み位置（例えば、ミシン目の一部に偏った位置）によっては、ミシン目が安定的に綺麗に破断されないことがあった。更に、カートンを形成する時（衛生用紙をカートンに詰めて妻面を形成した時を含む）に、例えば、カートンを捻るような外力が加わると、ミシン目の一部が破断してしまうという場合があった。
【０００８】
本発明は、このような従来技術の有する問題点に鑑みてなされたものであり、包装用箱を形成する時などに、例えば、カートンを捻るような外力が加えられた場合であっても、切込線（ミシン目）が破断するおそれがなく、また、例えば、年配者、子供、障害者、女性のような力の弱い者であっても、容易に切込線（ミシン目）を押し破ることができ、更に、押し破る際の押込み位置によらず、安定的に綺麗に切込線を押し破ることができる包装用箱を提供することを課題とする。
【課題を解決するための手段】
【０００９】
本発明者は上記課題を解決するために鋭意検討した結果、外側ミシン目及び内側ミシン目から構成される二重ミシン目を備え、この二重ミシン目のうち、内側ミシン目のカット部を外側ミシン目のカット部よりも短い解体用切込線、及び／または押上片形成用切込線を形成することによって、上記課題を達成することが可能であることを見出し、本発明を完成するに至った。即ち、本発明によれば、以下に示す包装用箱が提供される。
【００１０】
［１］  取出口を有する上面、底面、一対の側面により組み立てられた角筒状体を得、得られた前記角筒状体の前記上面及び前記底面のそれぞれの端縁から稜線を介して延出された一対の外フラップを折り曲げて一対の妻面を形成し、衛生用紙を収納し得る内部空間が形成された箱状をなすとともに、前記衛生用紙の取出口を形成するための取出口形成用切込線が形成されることに加え、前記底面に形成されて前記底面と一の妻面との稜線上における二点を繋ぐ解体用切込線、及び／または、前記底面に形成されて一対の押上片を形成するための押上片形成用切込線が形成された包装用箱であって、前記解体用切込線、及び／または、前記押上片形成用切込線が、外側ミシン目と、前記外側ミシン目の内側に位置して前記外側ミシン目の少なくとも一部に沿うように形成された内側ミシン目と、により構成される二重ミシン目を備え、前記内側ミシン目のカット部が、前記外側ミシン目のカット部よりも短い包装用箱。
【００１１】
［２］  前記外側ミシン目の、隣り合うカット部とカット部の間隙に対応する位置に、前記内側ミシン目のカット部が配置されるように形成されている前記［１］に記載の包装用箱。
【００１２】
［３］  前記内側ミシン目のカット部の長さの割合が、前記外側ミシン目のカット部の長さに対して、２〜５０％である前記［１］または［２］に記載の包装用箱。
【００１３】
［４］  前記解体用切込線と前記稜線により囲まれた部分、及び／または、前記押上片が形成される部分に、凹凸形状を形成した前記［１］〜［３］のいずれかに記載の包装用箱。
【００１４】
［５］  前記凹凸形状が、押し罫である前記［１］〜［４］のいずれかに記載の包装用箱。
【発明の効果】
【００１５】
本発明の包装用箱は、例えば、年配者、子供、障害者、女性のような力の弱い者であっても、容易に切込線（ミシン目）を破断することができ、また、使用者の押込み位置によらず、安定的に綺麗に切込線を破断することができるという効果を奏するものである。
【発明を実施するための最良の形態】
【００１６】
以下、本発明を実施するための最良の形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００１７】
［１］包装用箱：
本発明の包装用箱は、例えば、図１〜図３に示す包装用箱１のように、取出口を有する上面２、底面４、一対の側面６により組み立てられた角筒状体を得、得られた角筒状体の上面２及び底面４のそれぞれの端縁から稜線３６を介して延出された一対の外フラップ２８を折り曲げて一対の妻面８を形成し、衛生用紙を収納し得る内部空間が形成された箱状をなすとともに、衛生用紙の取出口を形成するための取出口形成用切込線１１が形成されることに加え、底面４に形成されて底面４と一の妻面８との稜線３６上における二点ａ、ｂを繋ぐ解体用切込線１２、及び／または、底面４に形成されて一対の押上片を形成するための押上片形成用切込線１５が形成された包装用箱１であって、解体用切込線１２、及び／または、押上片形成用切込線１５が、外側ミシン目１３と、外側ミシン目１３の内側に位置して外側ミシン目１３の少なくとも一部に沿うように形成された内側ミシン目１４と、により構成される二重ミシン目を備え、内側ミシン目１４のカット部１４ａが、前記外側ミシン目１３のカット部１３ａよりも短いものである。
【００１８】
「箱状」とは、上面、底面、一対の側面、及び一対の妻面を有する形状に折り曲げられ、これらの面によって区画された、衛生用紙を収納し得る内部空間が形成される形状である。このような形状としては、例えば、直方体状、立方体状等の六面体状を挙げることができる。これらの形状では、上面と底面、一の側面と他の側面、一の妻面と他の妻面が対向するように平行に配置される。これらの形状の中では、直方体状が好ましい。例えば、図１〜図３に示す包装用箱１は、その側面６側を長辺、妻面８側を短辺とする直方体状に構成した例である。なお、これらの形状において、二つの面の稜線部分を面取りしたものも、本明細書にいう「箱状」に含まれるものとする。
【００１９】
「妻面」とは、上面及び底面となる面の端縁から稜線を介して延出された一対の外フラップを備え、更に、上記一対の外フラップのいずれかの先端に付設された妻面接合代を備えたカートンブランクの上記一対の外フラップを、上記稜線を介して折り曲げた後に上記妻面接合代を接合して形成された面である。
【００２０】
例えば、図１〜図３に示す包装用箱１は、上面２及び底面４の端縁から稜線を介して延出された一対の外フラップ２８を更に備え、上面２の端縁から稜線を介して延出された一の外フラップ２８は、その先端に、底面４の端縁から稜線を介して延出された他の外フラップ２８との接合代である妻面接合代３４が付設された図６に示すカートンブランク１００における一対の外フラップ２８が、上記妻面接合代３４を介して接合されて一対の妻面８を形成している例である。
【００２１】
［１−１］解体用切込線：
本発明の包装用箱は、解体用切込線、及び／または、押上片形成用切込線が形成されたものである。本発明の包装用箱の解体用切込線は、底面に形成されて前記底面と一の妻面との稜線上における二点を繋ぐように形成されたものである。上記解体用切込線は、上記条件を満たすミシン目である限りその形状などに特に制限はなく、例えば、半円状、Ｕ字状、略Ｕ字状、コ字状、Ｖ字状、または多角形状等を挙げることができる。また、上記稜線上の二点の位置は特に制限はなく、例えば、上記稜線の中央部、一の端点に偏った位置などとすることができる。なお、「ミシン目」とは、いくつかの直線または曲線状の切込みが連続的に形成された破線をいう。また、このミシン目は、包装用箱を形成するためのカートンブランクに、ミシン目形成用の刃物をあてることにより形成されるものであり、本発明においては、上記刃物をカートンブランクの表面または裏面のいずれの面からあててミシン目を形成してもよい。
【００２２】
例えば、図２、図３に示す包装用箱１は、一対の妻面８が形成され、底面４には、底面４と一の妻面８との稜線３６上における二点ａ，ｂを繋ぐＵ字状の解体用切込線１２が形成されており、更に、稜線３６に沿って、二点ａ，ｂから端点４０に向かって第二の解体用切込線５１が形成されている例である。  
【００２３】
また、図４に示す包装用箱１１０は、Ｕ字状の両端部の近傍が、妻面８に向かうに従って側面６側に広がるように形成された略Ｕ字状の解体用切込線１１２が形成されている例である。
【００２４】
更に、図１２に示す包装用箱１４０は、二点ａ，ｂに向かうに従って開口が広がる略Ｕ字状（山型状）の解体用切込線２１２が形成されている例である。
【００２５】
なお、上記第二の解体用切込線は、例えば、図１３に示す包装用箱１５０のように、底面４の端縁から稜線を介して延出された一の外フラップ２８とその先端にある妻面接合代３４との間に形成されるミシン目１５１ｂと、上記一の外フラップ２８に形成され、上記解体用切込線１２の二点ａ、ｂの起点に達するミシン目１５１ａにより構成されるように形成されていてもよい。なお、図１３中の破線はミシン目（切込線）を示し、実線及び一点鎖線は周縁を示す。
【００２６】
このような解体用切込線を形成した包装用箱は、上記構成とすることにより、包装用箱を形成する時などに、例えば、カートンを捻るような、包装用箱の解体を目的としないような外力が加えられた場合であっても、切込線（ミシン目）にかかる外力が分散されるため、ミシン目が破断してしまうおそれがない。また、その解体に際し、側面と底面を切り離すことができる。そのため、包装用箱を容易に解体して平面状に展開することができる。このように、解体用切込線を形成した包装用箱は、容易に解体することができるものであり、上記解体用切込線を本発明の包装用箱における解体用切込線の構成とすることと相俟って、包装用箱を更に容易に解体することができる。
【００２７】
上記解体用切込線は、外側ミシン目と、前記外側ミシン目の内側に位置して前記外側ミシン目の少なくとも一部に沿うように形成された内側ミシン目と、により構成される二重ミシン目を備え、内側ミシン目のカット部が、前記外側ミシン目のカット部よりも短いものである。このような構成により、例えば、年配者、子供、障害者、女性のような力の弱い者であっても、容易に切込線（ミシン目）を破断することができ、また、使用者の押込み位置によらず、安定的に綺麗に切込線を破断することができる。
【００２８】
ここで、本明細書において、「外側ミシン目の内側」とは、押込み片が形成されるように所定の形状に形成された二重ミシン目によって囲まれる領域側を意味する。例えば、図１〜図３に示す包装用箱１の解体用切込線１２は、図５に拡大して示すように、妻面８側が「外側ミシン目の内側」であり、外側ミシン目１３の内側に内側ミシン目１４が形成された例である。
【００２９】
例えば、図１〜図３に示す包装用箱１の解体用切込線１２は、妻面８側に開口が配置されたＵ字状であり、妻面８側に位置する内側ミシン目１４と、底面４の中央部側に位置する外側ミシン目１３により構成された二重ミシン目を備えた例である。
【００３０】
ところで、例えば、引用文献１の包装用箱は、カット部の間隔が異なる千鳥状の二重ミシン目で構成された取出口形成用切込線を開示している。これらの包装用箱は、小さい力で取出口を開口することができ、外観及び手触りを良くすることができるものである。しかし、引用文献１の包装用箱は、取出口形成用切込線の構成について開示するものであり、この構成は、本発明の包装用箱における解体用切込線や押上片形成用切込線に用いることはできないものである。即ち、引用文献１の包装用箱は、詳細には、内側ミシン目のカット部が、外側ミシン目のカット部よりも長く形成された二重ミシン目で構成された取出口形成用切込線を備えているものである。このような構成の二重ミシン目を押し破る場合には、大きな力で押込まなければミシン目を破断することは困難であるからである。また、解体用切込線や押上片形成用切込線は、内側ミシン目のカット部が、外側ミシン目のカット部よりも長く形成された二重ミシン目で構成された場合、本発明の効果は得られず、大きな力で押込まなければミシン目を破断することは困難である。
【００３１】
なお、取出口形成用切込線は、通常、使用者が取出口片の一部を摘みながら引き剥がして破断するものである。このように、引き剥がす場合には、押込む場合に比べて、力を加え易いため、力の弱い者であっても、大きな困難を感じることがないと推測される。そのため、取出口形成用切込線を破断し難いという問題が生じていないと考えられる。
【００３２】
一方、解体用切込線や押上片形成用切込線は、使用者が押し破るミシン目であるため、小さい力で破断できることが要求される。従って、本発明の包装用箱は、押込みながら破断する（押し破る）上記解体用切込線、及び／または、押上片形成用切込線を上記構成に形成することによって、例えば、年配者、子供、障害者、女性のような力の弱い者であっても、容易に切込線（ミシン目）を破断することができるものである。
【００３３】
また、解体用切込線、及び押上片形成用切込線を破断する際には、これらの切込線により囲まれる領域の中央部を押込むことが、ミシン目を安定的に綺麗に破断できる点において好ましいが、本発明の包装用箱は、使用者の押込み位置によらず、例えば、上記領域の端部（ミシン目付近）を押込んだ場合であっても安定的に綺麗に上記切込線を破断することができる。
【００３４】
内側ミシン目のカット部の長さの割合は、外側ミシン目のカット部の長さに対して、２〜５０％であることが好ましく、３〜１０％であることが更に好ましい。２％未満であると、ミシン目が形成できなくなるおそれがある。一方、５０％超であると、二重のミシン目の強度が弱くなるため、例えば、製造また輸送時などに包装用箱に衝撃力が加えられた場合に、ミシン目（切込線）が容易に破断してしまうおそれがある。
【００３５】
内側ミシン目のカット部の長さは、具体的には、０．１〜５ｍｍであることが好ましく、０．１５〜１ｍｍであることが更に好ましい。０．１ｍｍ未満であると、ミシン目が形成できなくなるおそれがある。一方、５ｍｍ超であると、二重のミシン目の強度が弱くなるため、例えば、製造また輸送時などに包装用箱に衝撃力が加えられた場合に、ミシン目（切込線）が容易に破断してしまうおそれがある。
【００３６】
内側ミシン目の隣り合うカット部とカット部の間隙（長さ）は、具体的には、０．１〜５ｍｍであることが好ましい。０．１ｍｍ未満であると、ミシン目が形成できなくなるおそれがある。一方、５ｍｍ超であると、二重のミシン目の強度が弱くなるため、例えば、製造また輸送時などに包装用箱に衝撃力が加えられた場合に、ミシン目（切込線）が容易に破断してしまうおそれがある。なお、上記間隙は、上記範囲内である限り特に制限はないが、いずれも等しい長さであることが特に好ましい。
【００３７】
外側ミシン目のカット部の長さは、具体的には、２〜１０ｍｍであることが好ましく、３〜５ｍｍであることが更に好ましい。２ｍｍ未満であると、ミシン目（切込線）の強度が強くなりすぎるため、容易に破断することができなくなるおそれがある。一方、１０ｍｍ超であると、二重のミシン目の強度が弱くなるため、例えば、製造また輸送時などに包装用箱に衝撃力が加えられた場合に、ミシン目（切込線）が容易に破断してしまうおそれがある。
【００３８】
外側ミシン目の隣り合うカット部とカット部の間隙（長さ）は、具体的には、０．６〜１．５ｍｍであることが好ましく、０．８〜１．２ｍｍであることが更に好ましい。０．６ｍｍ未満であると、例えば、製造また輸送時などに包装用箱に衝撃力が加えられた場合に、ミシン目（切込線）が容易に破断してしまうおそれがある。一方、１．５ｍｍ超であると、ミシン目（切込線）の強度が強くなりすぎるため、容易に破断することができなくなるおそれがある。
【００３９】
例えば、図５に示す包装用箱１は、内側ミシン目１４のカット部１４ａの長さが１ｍｍであり、内側ミシン目１４の隣り合うカット部１４ａとカット部１４ａの間隙が１ｍｍであり、外側ミシン目１３のカット部１３ａの長さが３ｍｍであり、外側ミシン目１３の隣り合うカット部１３ａとカット部１３ａの間隙が１ｍｍである解体用切込線１２が形成された例である。
【００４０】
本発明の包装用箱の解体用切込線、及び／または押上片形成用切込線は、上記外側ミシン目の、隣り合うカット部とカット部の間隙に対応する位置に、内側ミシン目のカット部が形成されて配置されていることが好ましい。
【００４１】
例えば、図８に示す包装用箱１の解体用切込線１２は、外側ミシン目１３の、隣り合うカット部１３ａとカット部１３ａの間隙に対応する位置に、内側ミシン目１４のカット部１４ａが配置されるように形成されている例である。
【００４２】
なお、本発明の包装用箱は、例えば、図９に示す包装用箱１のように、解体用切込線１２が、千鳥状に配設された内側ミシン目１３カット部１３ａと外側ミシン目１５のカット部１５ａにより構成された二重ミシン目を備えるものであってもよい。
【００４３】
内側ミシン目と外側ミシン目との間隔は、０．３〜１．１ｍｍであることが好ましく、０．６〜０．８ｍｍであることが更に好ましい。０．３ｍｍ未満であると、ミシン目を入れる刃物の厚さが薄くなるため、打ち抜き作業時に刃物が刃こぼれを起こすおそれがある。一方、１．１ｍｍ超であると、本発明の効果が十分に得られなくなるおそれがある。例えば、図３に示す包装用箱１は、内側ミシン目１４と外側ミシン目１３との間隔ｘが０．７ｍｍである例である。
【００４４】
図１〜図３に示す包装用箱１は、図７に示すような方法により解体することができる。まず、図７に示すように、解体用切込線１２の内側部分（領域）を親指などで押圧して押し破り、続いて第二の解体用切込線５１を破断すると、底面４と妻面８とを切断することができる。このようにして包装用箱１を平面状に展開された状態に解体することができる。
【００４５】
［１−２］押上片形成用切込線：
また、本発明の包装用箱に形成される押上片形成用切込線は、底面に形成されて一対の押上片を形成するためのものである。この押上片形成用切込線は、包装用箱に収納された衛生用紙の残量が少なくなった際に、押圧して押し破り、一対の押上片を形成するためのミシン目である。この押上片が箱の内側に折り曲げることによって、箱内部の衛生用紙が上面側に押し上げられるため、上面の取出口から衛生用紙の最後の一枚まで、安定してポップアップさせることが可能である。
【００４６】
上記押上片形成用切込線は、上記条件を満たすものである限り形状、配置などに特に制限はなく、その形状は、例えば、Ｕ字状、コ字状、略コ字状、多角形状などとすることができる。また、包装用箱の底面の位置は、中央部、妻面側に偏った位置、側面に偏った位置などとすることができる。更に、例えば、一対のＵ字状の押上片形成用切込線である場合に、互いに開口を向かい合わせて配置してもよく、互いに一対の妻面に開口を向けて配置してもよく、互いに一の妻面に開口を向けて配置してもよく、また、これらを回転して配置してもよい。例えば、図３に示す包装用箱１は、底面４の中央部に、互いに開口を向かい合わせて、その開口が妻面８を向いて配置されているＵ字状の押上片形成用切込線１５が一対形成された例である。
【００４７】
なお、押上片形成用切込線の開口端を結ぶように押し罫を形成することができる。押し罫を形成することにより、この押し罫に従って（押し罫を基軸として）一対の押上片を容易に包装用箱の内側に折り曲げることができるという利点がある。図１〜図３に示す包装用箱１は、Ｕ字状の押上片形成用切込線１５の開口端ｃ，ｄを結ぶように押し罫５２が形成された例である。
【００４８】
本発明の包装用箱に形成される押上片形成用切込線は、上述した解体用切込線と同様の構成の二重ミシン目を備えるものである。
【００４９】
例えば、図３に示す包装用箱１の一対の押上片形成用切込線１５は、それぞれ開口部を向かい合わせて配置されたＵ字状であり、一の押上片形成用切込線１５側に位置する内側ミシン目１４と、他の押上片形成用切込線１５側に位置する外側ミシン目１３により構成された二重ミシン目を備えた例である。
【００５０】
本発明の包装用箱は、上記解体用切込線と前記稜線により囲まれた部分（領域）、及び／または、上記押上片が形成される部分（領域）に、凹凸形状を形成したものであることが好ましい。このように凹凸形状を形成することにより、箱の解体時、押上片の形成時に際し、押込み部分を容易に確認することができるという利点がある。特に、年配者や目が不自由な者であっても押込み部分を容易に確認することができる。また、押込み部分が凹凸形状であると、たとえ、箱に絵柄が描かれている場合であっても押込み部分を容易に確認することができる。
【００５１】
上記凹凸形状は、例えば、押し罫、付設したビーズ状の粒を貼る方法、エンボス加工、発泡性インキ・高粘度インキによる立体印刷、立体印刷をした粘着ラベルを貼る方法などにより形成することができる。これらの中でも、押し罫により凹凸形状を形成することが好ましい。なお、押し罫により形成した凹凸形状としては、例えば、一または複数の直線、一または複数の半球状の窪み、円錐台状などとすることができる。
【００５２】
例えば、図３に示す包装用箱１は、押上片が形成される部分（押上片形成用切込線１５と押し罫５２に囲まれた部分）に、稜線３６に平行な方向に５本の直線状の押し罫５３を等間隔に配置するとともに、等しい長さで形成した例であり、図４に示す包装用箱１は、押上片が形成される部分に、稜線３６に直交する方向に５本の直線状の押し罫５４を等間隔に配置するとともに、これらの押し罫５４のうち中央に位置するものほど長く形成した例である。
【００５３】
また、例えば、図１０に示す包装用箱１２０は、解体用切込線１２と稜線３６により囲まれた部分に、稜線３６に平行な方向に４本の直線状の押し罫１５３を互いに間隔を異ならせて配置するとともに、等しい長さで形成し、更に、押上片が形成される部分（押上片形成用切込線１５と押し罫５２に囲まれた部分）に、稜線３６に平行な方向に５本の直線状の押し罫１５３を互いに間隔を異ならせて配置するとともに、等しい長さで形成した例である。
【００５４】
更に、例えば、図１１に示す包装用箱１３０は、解体用切込線１２と稜線３６により囲まれた部分に、稜線３６に直交する方向に５本の直線状の押し罫１５４を等間隔に配置するとともに、中央に位置するほど長く形成し、更に、押上片が形成される部分（押上片形成用切込線１５と押し罫５２に囲まれた部分）に、稜線３６に直交する方向に５本の直線状の押し罫１５４を等間隔に配置するとともに、これらの押し罫５４のうち中央に位置するものほど長く形成した例である。
【００５５】
なお、解体用切込線と前記稜線により囲まれた部分、または上記押上片が形成される部分ごとに、凹凸形状を変えておけば（例えば、稜線により囲まれた部分には、前記稜線に平行な方向に押し罫を形成し、押上片が形成される部分には、前記稜線に直交する方向に押し罫を形成することができる）、破断する必要がない切込線を誤って押し破ってしまったりするおそれがないという利点がある。
【００５６】
［１−３］取出口形成用切込線：
「取出口形成用切込線」とは、衛生用紙の取出口の外周形状と一致するように形成された切込線（ミシン目）である。使用者は、この切込線を破断することによって取出口を形成することができ、その取出口から衛生用紙を取り出すことが可能となる。
【００５７】
衛生用紙の取出口の外周形状について特に制限はなく、包装用箱や衛生用紙の形状に応じて適宜選択すればよい。但し、包装用箱は直方体状のものが多く用いられるため、その取出口の形状は包装用箱の長手方向に沿った横長形状とすることが好ましい。従って、取出口の外周形状としては、例えば、略長方形状、略長円形状、長楕円形状、菱形状、または多角形状等の形状を挙げることができる。例えば、図１に示す包装用箱１は、略長方形状の取出口形成用切込線１１が形成されている例である。
【００５８】
取出口形成用切込線は、通常、図１に示す包装用箱１のように、上面２に形成されることが多いが、特にそのような制限があるわけではない。例えば、底面に形成されていてもよいし、他の面に形成されていてもよい。また、取出口形成用切込線は一の面のみに形成されていなければならないわけではなく、二以上の面（例えば、上面と底面）に形成されていてもよい。
【００５９】
なお、取出口形成用切込線によって包囲された部分（切取片となる部分）には、取出口形成用切込線の二点を繋ぐように、引剥がし用切込線が形成されていてもよい。このような切込線を形成することで、切取片の引き剥がしが容易となる利点がある。例えば、図１に示す包装用箱１は、略長方形状の取出口形成用切込線１１の端部側に、略Ｕ字状の引剥がし用切込線１１ａが一対形成されている例である。
【００６０】
なお、本発明の包装用箱は、上記取出口形成用切込線（取出口）を箱の内側から被覆するように配置されて、衛生用紙を取り出すためのスリットが形成されたフィルム材（いわゆる、「ウインドウフィルム」）を備えていてもよいし、ウインドウフィルムを備えていない、いわゆるフィルムレスの包装用箱であってもよい。
【００６１】
本発明の包装用箱は、上面、底面、一対の側面、及び一対の妻面によって区画された内部空間が形成される。この内部空間は、例えば、衛生用紙を収納するための空間である。この内部空間に衛生用紙を収納する場合、その種類について特に制限はなく、例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙（例えば、紙パルプ技術便覧第５版、第４５９頁参照、１９９２年１月３０日発行、紙パルプ技術協会編集・発行）等を挙げることができる。
【００６２】
これらの中でも、ティシュペーパー束が好ましく、このティシュペーパー束は、例えば、一のティシュペーパーが折り畳まれ、その折り返し部分に他のティシュペーパーが挟み込まれた状態で折り畳まれることによって、複数枚のティシュペーパーが連続的に積層されたものである。このような積層構造のティシュペーパーは、最上層のティシュペーパーを取り出すことにより、これに挟み込まれていた次層のティシュペーパーの一部が取出口から突出する（いわゆる、「ポップアップ方式」）ため、ティシュペーパーを容易に取り出すことができるという利点がある。
【００６３】
本発明の包装用箱を構成する材質について特に制限はない。但し、シート状の材料を折り曲げ形成により箱状とする都合上、厚紙等の紙材料を構成材料とすることが好ましい。一般に、これらの紙材料としては、例えば、木材パルプ、古紙等を原料として製造されたものを好適に用いることができる。
【００６４】
［２］包装用箱の製造方法：
本発明の包装用箱は、例えば、以下の製造方法によって製造することができる。まず、紙材料等を打ち抜くことにより、折り曲げ線を介して上面、底面、一対の側面となる面を有し、この上面の端縁から折り曲げ線を介して一対の外フラップが延出し、一対の側面の端縁から折り曲げ線を介して一対の内フラップが延出しているカートンブランクを用意する。次いで、このカートンブランクの底面となる面に、解体用切込線、及び押上片形成用切込線として、外側ミシン目と、この外側ミシン目の内側に位置して外側ミシン目の少なくとも一部に沿うように形成された内側ミシン目とにより構成される二重ミシン目を、内側ミシン目のカット部が、外側ミシン目のカット部よりも短くなるように形成する。そして、カートンブランクの上面となる面に、取出口形成用切込線を形成し、この取出口形成用切込線を覆うようにウインドウフィルムを貼り付ける。なお、取出口形成用切込線、解体用切込線、及び押上片形成用切込線の形成順序は特に制限はない。
【００６５】
その後、カートンブランクを折り曲げ線に沿って折り曲げ、側面と底面の側面接合代とを重ね合わせ、その重なり部分を接着剤によって接着することによって妻面側が開放された角筒状とする。次いで、角筒状のカートンブランクの内部空間に、例えば、衛生用紙が積層された衛生用紙束を装填する。装填後、一対の内フラップを折り曲げ線に沿って折り曲げ、更に、一対の外フラップをその一部が互いに重なり合うように折り曲げる。そして、この重なり部分を接着剤等によって接着することによって、一対の妻面を形成して、本発明の包装用箱とすることができる。
【産業上の利用可能性】
【００６６】
本発明の包装用箱は、ティシュペーパー、キッチンペーパー等のペーパータオル、シート状のトイレットペーパー、ワッティング（紙綿）等の衛生用紙を収納するための包装用箱として、好適に用いることができる。
【図面の簡単な説明】
【００６７】
【図１】本発明の包装用箱の一の実施形態を示す斜視図である。
【図２】本発明の包装用箱の一の実施形態を示す別の斜視図である。
【図３】本発明の包装用箱の一の実施形態を示す一部平面図であり、底面を表面側から見た状態を示す図である。
【図４】本発明の包装用箱の別の実施形態を示す一部平面図であり、底面を表面側から見た状態を示す図である。
【図５】本発明の包装用箱の解体用切込線の一の実施形態を示す部分拡大図である。
【図６】本発明の包装用箱の一の実施形態の一例を示す図であり、包装用箱を組み立てる前のカートンブランクの状態の展開図である。
【図７】本発明の包装用箱を解体する工程を示す斜視図である。
【図８】本発明の包装用箱の解体用切込線の別の実施形態を示す部分拡大図である。
【図９】本発明の包装用箱の解体用切込線の別の実施形態を示す部分拡大図である。
【図１０】本発明の包装用箱の別の実施形態を示す一部平面図であり、底面を表面側から見た状態を示す図である。
【図１１】本発明の包装用箱の別の実施形態を示す一部平面図であり、底面を表面側から見た状態を示す図である。
【図１２】本発明の包装用箱の別の実施形態を示す一部平面図であり、底面を表面側から見た状態を示す図である。
【図１３】本発明の包装用箱の別の実施形態を示す斜視図である。
【図１４】従来の包装用箱を示す斜視図である。
【符号の説明】
【００６８】
１，１１０，１２０，１３０，１４０，１５０，１６０：包装用箱、２：上面、４：底面、６：側面、８：妻面、１１：取出口形成用切込線、１１ａ：引剥がし用切込線、１２，１１２，２１２，３１２：解体用切込線、１３：外側ミシン目、１３ａ：カット部、１４：内側ミシン目、１４ａ：カット部、１５，１１５：押上片形成用切込線、２６：内フラップ、２８：外フラップ、３２：側面接合代、３４：妻面接合代、３６：底面−妻面稜線、４０：端点、５１，１５１ａ，１５１ｂ，２５１：第二の解体用切込線、５２，５３，５４，１５３，１５４：押し罫、１００：カートンブランク。
【図１】
2008143567.tif 000003
【図２】
2008143567.tif 000004
【図３】
2008143567.tif 000005
【図４】
2008143567.tif 000006
【図５】
2008143567.tif 000007
【図６】
2008143567.tif 000008
【図７】
2008143567.tif 000009
【図８】
2008143567.tif 000010
【図９】
2008143567.tif 000011
【図１０】
2008143567.tif 000012
【図１１】
2008143567.tif 000013
【図１２】
2008143567.tif 000014
【図１３】
2008143567.tif 000015
【図１４】
2008143567.tif 000016